【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
発光色が駆動電流値によりブルーシフトするＬＥＤ素子を駆動するＬＥＤ駆動方法であって、上記ＬＥＤ素子は電流値Ｉ、デューティＤのパルスで駆動され、上記電流値が発光波長に対応して設定され、または、上記デューティが発光強度に対応して設定されることを特徴とするＬＥＤ駆動方法。
【請求項２】
発光色が駆動電流値によりブルーシフトするＬＥＤ素子を駆動するＬＥＤ駆動方法であって、上記ＬＥＤ素子は電流値Ｉ、デューティＤのパルスで駆動され、
上記電流値が、所要の発光色に応じて設定され、
さらに、上記デューティＤが、所要の発光強度に応じて、上記電流値とから演算されて設定されることを特徴とするＬＥＤ駆動方法。
【請求項３】
上記電流値は上記ＬＥＤ素子の発光波長の変化が６ｎｍとなる範囲内に設定されるとともに、上記デューティを発光強度に応じて変化させることを特徴とする請求項１または２に記載のＬＥＤ駆動方法。
【請求項４】
上記電流値は上記ＬＥＤ素子からの発光波長を変化させるよう制御されるとともに、上記デューティは発光強度をほぼ一定とするよう制御されることを特徴とする請求項１または２に記載のＬＥＤ駆動方法。
【請求項５】
発光色が駆動電流値によりブルーシフトするＬＥＤ素子と、発光色を指示する色信号ｃと、発光強度を指示する強度信号ｐとに応じて、所要の発光色および所要の発光強度で駆動するＬＥＤ点灯回路を備えるＬＥＤ装置であって、上記ＬＥＤ点灯回路は上記色信号ｃを上記ＬＥＤ素子の電流値対発光波長（または発光色）特性に従って電流値信号ｉに変換し出力する色信号−電流値信号変換部と、上記強度信号ｐと電流値信号ｉとから電流値信号ｉの指示する上記電流値ＩとデューティＤとの積が強度信号ｐの指示するＬＥＤ発光強度に対応するようにデューティ信号ｄを演算し出力する演算処理部と、上記電流値信号ｉとデューティ信号ｄの指示に応じてそれぞれ電流値Ｉ、デューティＤのパルス電流をＬＥＤ駆動電流として出力するパルス発生部とを備えることを特徴とするＬＥＤ装置。
【請求項６】
上記ＬＥＤ素子を複数備え、かつ複数のＬＥＤ素子にそれぞれ上記ＬＥＤ点灯回路を備えるＬＥＤ装置であって、上記複数のＬＥＤ素子を各々のＬＥＤ点灯回路で発光色、または、発光強度を制御することを特徴とする請求項５に記載のＬＥＤ装置。
【請求項７】
発光色が駆動電流値によりブルーシフトするＬＥＤ素子と、該ＬＥＤ素子から発せられる光により励起され発光する蛍光体とを備えたことを特徴とするＬＥＤランプ。
【請求項８】
駆動電流値を変化させた際、上記ＬＥＤ素子の発光色の変化よりも、上記ＬＥＤランプの発光色の変化の方が大きいことを特徴とする請求項７に記載のＬＥＤランプ。
【請求項９】
発光色が駆動電流値によりブルーシフトするＬＥＤ素子と、該ＬＥＤ素子の発光により励起され発光する蛍光体とを備えたＬＥＤランプを駆動するＬＥＤ駆動方法であって、駆動電流値を変化させることにより上記ＬＥＤ素子の発光波長を変化させて、上記ＬＥＤランプの発光色を変化させることを特徴とするＬＥＤランプ駆動方法。
【請求項１０】
発光色が駆動電流値により変化するＬＥＤ素子と、該ＬＥＤ素子の発光により励起され発光する蛍光体とを備えたＬＥＤランプを駆動するＬＥＤランプ駆動方法であって、
上記ＬＥＤ素子は電流値Ｉ、デューティＤのパルスで駆動され、
上記電流値が、所要のＬＥＤランプ発光色に応じて設定され、
さらに、上記デューティが、所要のＬＥＤランプ発光強度に応じて、上記電流値とから演算されて設定されることを特徴とするＬＥＤランプ駆動方法。
【請求項１１】
発光色が駆動電流値により変化するＬＥＤ素子と、該ＬＥＤ素子の発光により励起され発光する蛍光体とを備えたＬＥＤランプを駆動するＬＥＤ駆動方法であって、上記ＬＥＤ素子は、電流値Ｉ、デューティＤのパルス電流で駆動され、上記電流値Ｉが上記ＬＥＤランプの電流値対発光色特性に従って設定され、上記デューティＤがＬＥＤランプ発光強度特性に対応して設定されることを特徴とするＬＥＤランプ駆動方法。
【請求項１２】
発光色が駆動電流値により変化するＬＥＤ素子と、該ＬＥＤ素子の発光により励起され発光する蛍光体とを備えたＬＥＤランプを、ＬＥＤランプの発光色を指示する色度信号ｕと、ＬＥＤランプの発光強度を指示する輝度信号ｋとに応じて、所要の発光色および所要の発光強度で駆動するＬＥＤ点灯回路からなるＬＥＤ駆動装置であって、上記ＬＥＤ点灯回路は上記色度信号ｕを上記ＬＥＤランプの電流値対発光色特性に従って電流値信号ｉに変換し出力する色信号−電流値信号変換部と、上記輝度信号ｋと電流値信号ｉとから電流値信号ｉの指示する上記電流値ＩとデューティＤとの積が輝度信号ｋの指示するＬＥＤ発光強度に対応するように、デューティ信号ｄを演算し出力する演算処理部と、上記電流値信号ｉとデューティ信号ｄの指示に応じて、それぞれ電流値Ｉ、デューティＤのパルス電流をＬＥＤ駆動電流として出力するパルス発生部を備えることを特徴とするＬＥＤ装置。
【請求項１３】
上記ＬＥＤ素子は、ＩｎＧａＮ活性層と、その上に２層構造のＡｌＧａＮ層を有し、その２層ＡｌＧａＮ層のうち上記ＩｎＧａＮ活性層に接するＡｌＧａＮ層がＩｎＧａＮ活性層と同じ成長温度で作製され、その上のＡｌＧａＮ層がＩｎＧａＮ活性層に接するＡｌＧａＮ層の成長温度より高い成長温度で作製されたことを特徴とする請求項１、２、５、７、８、９、１１もしくは１２に記載のＬＥＤ駆動方法、ＬＥＤ装置、もしくはＬＥＤランプ。
【請求項１４】
発光色が駆動電流値によりブルーシフトするＬＥＤ素子、または発光色が駆動電流値によりブルーシフトするＬＥＤ素子と、該ＬＥＤ素子の発光により励起され発光する蛍光体とを備えたＬＥＤランプを複数個平面状に配置し、上記ＬＥＤ素子またはＬＥＤランプそれぞれに発光色を指示する色信号または、発光強度を指示する強度信号を受けて、所要の発光色および所要の発光強度で駆動するＬＥＤ点灯回路を接続してなることを特徴とする表示装置。
【請求項１５】
上記ＬＥＤ素子は直流電流で駆動した場合、０．１ｍＡ駆動時と３０ｍＡ駆動時の発光波長差が６ｎｍ以上あることを特徴とする、請求項１−１４に記載の、ＬＥＤ駆動方法、ＬＥＤ装置、ＬＥＤランプもしくは表示装置。
【請求項１６】
上記パルス電流の基本周期が３０ｍｓ以下であることを特徴とする、請求項１−１４に記載の、ＬＥＤ駆動方法、ＬＥＤ装置、ＬＥＤランプもしくは表示装置。
【請求項１７】
上記パルス電流のパルス幅が０．２ｎｓ以上であることを特徴とする、請求項１−１４に記載の、ＬＥＤ駆動方法、ＬＥＤ装置、ＬＥＤランプもしくは表示装置。
【手続補正２】
【補正対象書類名】明細書
【補正対象項目名】０００８
【補正方法】変更
【補正の内容】
【０００８】
また本発明は、発光色が駆動電流値によりブルーシフトするＬＥＤ素子と、発光色を指示する色信号ｃと、発光強度を指示する強度信号ｐとに応じて、所要の発光色および所要の発光強度で駆動するＬＥＤ点灯回路を備えるＬＥＤ装置であって、上記ＬＥＤ点灯回路は上記色信号ｃを上記ＬＥＤ素子の電流値対発光波長（または発光色）特性に従って電流値信号ｉに変換し出力する色信号−電流値信号変換部と、上記強度信号ｐと電流値信号ｉとから電流値信号ｉの指示する上記電流値ＩとデューティＤとの積が強度信号ｐの指示するＬＥＤ発光強度に対応するようにデューティ信号ｄを演算し出力する演算処理部と、上記電流値信号ｉとデューティ信号ｄの指示に応じてそれぞれ電流値Ｉ、デューティＤのパルス電流をＬＥＤ駆動電流として出力するパルス発生部とを備えることを特徴とする。これにより、ＬＥＤ素子を色信号と強度信号によって発光波長または発光強度を制御することができる。
【手続補正３】
【補正対象書類名】明細書
【補正対象項目名】００１０
【補正方法】変更
【補正の内容】
【００１０】
また本発明のＬＥＤランプは、駆動電流値を変化させた際、上記ＬＥＤ素子の発光色の変化よりも、上記ＬＥＤランプの発光色の変化の方が大きいことを特徴とする。これにより、発光波長の変化の大きいＬＥＤランプを提供することができる。
【手続補正４】
【補正対象書類名】明細書
【補正対象項目名】００１２
【補正方法】変更
【補正の内容】
【００１２】
また本発明のＬＥＤ駆動方法は、発光色が駆動電流値により変化するＬＥＤ素子と、該ＬＥＤ素子の発光により励起され発光する蛍光体とを備えたＬＥＤランプを駆動するＬＥＤ駆動方法であって、上記ＬＥＤ素子は、電流値Ｉ、デューティＤのパルス電流で駆動され、上記電流値Ｉが上記ＬＥＤランプの電流値対発光色特性に従って設定され、上記デューティＤがＬＥＤランプ発光強度特性に対応して設定されることを特徴とする。これにより、ＬＥＤランプの発光波長または発光強度を制御することができる。
【手続補正５】
【補正対象書類名】明細書
【補正対象項目名】００１３
【補正方法】変更
【補正の内容】
【００１３】
また本発明のＬＥＤ駆動装置は、発光色が駆動電流値により変化するＬＥＤ素子と、該ＬＥＤ素子の発光により励起され発光する蛍光体とを備えたＬＥＤランプを、ＬＥＤランプの発光色を指示する色度信号ｕと、ＬＥＤランプの発光強度を指示する輝度信号ｋとに応じて、所要の発光色および所要の発光強度で駆動するＬＥＤ点灯回路からなるＬＥＤ駆動装置であって、上記ＬＥＤ点灯回路は上記色度信号ｕを上記ＬＥＤランプの電流値対発光色特性に従って電流値信号ｉに変換し出力する色信号−電流値信号変換部と、上記輝度信号ｋと電流値信号ｉとから電流値信号ｉの指示する上記電流値ＩとデューティＤとの積が輝度信号ｋの指示するＬＥＤ発光強度に対応するように、デューティ信号ｄを演算し出力する演算処理部と、上記電流値信号ｉとデューティ信号ｄの指示に応じて、それぞれ電流値Ｉ、デューティＤのパルス電流をＬＥＤ駆動電流として出力するパルス発生部を備えることを特徴とする。これにより、ＬＥＤ素子を色度信号と輝度信号によって発光波長または発光強度を制御することができる。